(57)【要約】【課題】  本発明の目的は機能的な拡張性を図ることのできる付属品を提供することにある。【解決手段】分析装置１８の本体２０に対して着脱自在であり、分析装置１８の構成部材の一部２４が設けられた付属品２６において、前記分析装置本体２０の中での光路３０上に対応する、前記付属品２６の中での光路２８上の近くに設けられ、該付属品２６の種類を識別するための付属品情報を記憶する付属品認識タグ１２を備えたことを特徴とする付属品。【選択図】      図１
2005241551.tif 000002
【特許請求の範囲】
【請求項１】
分析装置本体に対して着脱自在であり、該分析装置の光学系構成部材の少なくとも一部が設けられた付属品において、
前記分析装置本体の中での光路上に対応する、前記付属品の中での光路上の近くに設けられ、該付属品の種類を識別するための付属品情報を記憶する付属品認識タグを備えたことを特徴とする付属品。
【請求項２】
請求項１記載の付属品が着脱自在に設けられた本体を備えた分析装置において、
前記付属品に設けられた付属品認識タグの位置に対応する、該分析装置本体の中での光路上の近くに設けられ、前記付属品認識タグの付属品情報を読み取るための読取手段と、
前記読取手段を介して前記付属品認識タグの付属品情報を得るための管理手段と、
を備え、前記管理手段は、前記読取手段よりの付属品認識タグの付属品情報に基づいて、前記分析装置本体に付属品が取り付けられているかどうかを認識し、また付属品が取り付けられていたならば、どのような種類の付属品なのかを認識することを特徴とする分析装置。
【請求項３】
請求項２記載の分析装置において、
前記付属品は、前記分析装置本体の試料室に着脱自在に設けられ、透過測定用、反射測定用よりなる群より選ばれた試料セルが設けられ、
前記読取手段は、前記分析装置本体の試料室の中での光路上の近くに設けられたことを特徴とする分析装置。
【請求項４】
請求項２又は３記載の分析装置において、
前記付属品認識タグは、さらに前記付属品情報の書き込みが行えるタイプとし、
前記読取手段は、さらに前記付属品認識タグに対して付属品情報の書き込みが行え、
前記管理手段は、前記付属品認識タグが設けられた付属品を前記分析装置の本体にセットした状態で、前記読取手段を介して、該付属品認識タグに対する付属品情報の読み込み、ないし書き込みを行うことを特徴とする分析装置。
【請求項５】
請求項４記載の分析装置において、
前記付属品認識タグへの付属品情報の書き込みの際に、一定の制限を設けるための書込制限手段を備えたことを特徴とする分析装置。
【発明の詳細な説明】
【技術分野】
【０００１】
本発明は、付属品及びそれを用いた分析装置、特に付属品認識機構の改良に関する。
【背景技術】
【０００２】
ＦＴＩＲ等の分析装置では、試料の形態や測定目的等に合わせて、種々の測定法の選択が行える（特許文献１等）。例えばＦＴＩＲでは、測定法の変更を容易に行うため、干渉計と検出器間の構成部材をユニット化し、これを分析装置本体の試料室に着脱自在な付属品としている。このような付属品を試料形態や測定目的に合わせて選択し分析装置本体に設けることにより、種々の測定法に容易に対応できる。
ところで、付属品の数が多くなると、分析装置本体にどのような付属品が取り付けられているかが、わからなくなることがある。
このため本体に種々の付属品を着脱自在に設ける分析装置では、付属品の認識機能を設けることが考えられる。従来は、例えば分析装置本体の特定位置（試料室の奥部等）、及び分析装置本体の特定位置に対応する付属品の特定位置（付属品の角部等）にそれぞれ、付属品の認識を行うための電気的接点等の付属品認識機構を設けることが考えられる。
【特許文献１】特開２００１−１８３２９４号公報
【発明の開示】
【発明が解決しようとする課題】
【０００３】
しかしながら、従来の付属品認識機構を用いたのでは、分析装置本体の試料室の形をした付属品、つまり、その本体に専用の付属品しか認識できないので、分析装置の機能的な拡張性は改善の余地が残されていた。
本発明は前記従来技術の課題に鑑みなされたものであり、その目的は機能的な拡張性を図ることのできる付属品、及びそれを用いた分析装置を提供することにある。
【課題を解決するための手段】
【０００４】
前記目的を達成するために本発明にかかる付属品は、分析装置の本体に対して着脱自在であり、該分析装置の光学系構成部材の少なくとも一部が設けられた付属品において、付属品認識タグを備えたことを特徴とする。
ここで、前記付属品認識タグは、前記分析装置本体の中での光路上に対応する、前記付属品の中での光路上の近くに設けられ、該付属品の種類を識別するための付属品情報を記憶する。
ここにいう付属品情報とは、例えば付属品毎に固有なものであり、より具体的には、付属品を分析装置本体にセットして分析を行う際に、その付属品がどのような機能を持つのかがわかるものをいう。その一例としては、その付属品に設けられている光学系構成部材の種類、光学系構成部材の配置、試料形態、測定条件、ないし測定法等に関する情報が挙げられる。
【０００５】
また前記目的を達成するために本発明にかかる分析装置は、前記付属品が着脱自在に設けられた本体を備えた分析装置において、読取手段と、管理手段と、を備える。前記管理手段は、前記読取手段よりの付属品認識タグの付属品情報に基づいて、前記分析装置本体に付属品が取り付けられているかどうかを認識し、また付属品が取り付けられていたならば、どのような種類の付属品なのかを認識することを特徴とする。
ここで、前記読取手段は、前記付属品に設けられた付属品認識タグの位置に対応する、該分析装置本体の光路上の近くに設けられ、前記付属品認識タグの付属品情報を読み取るためのものとする。
【０００６】
また前記管理手段は、前記読取手段を介して前記付属品認識タグの付属品情報を得るためのものとする。
ここにいう光路上の近くに設けられとは、光路を遮るものをいうものではない。
なお、本発明においては、前記付属品は、前記分析装置本体の試料室に着脱自在に設けられ、透過測定用、反射測定用よりなる群より選ばれた試料セルが設けられる。前記読取手段は、前記分析装置本体の試料室の中での光路上の近くに設けられることが好適である。
【０００７】
また本発明においては、前記付属品認識タグは、さらに前記付属品情報の書き込みが行えるタイプとする。前記読取手段は、さらに前記付属品認識タグに対して付属品情報の書き込みが行える。前記管理手段は、前記付属品認識タグが設けられた付属品を前記分析装置の本体にセットした状態で、前記読取手段を介して、該付属品認識タグに対する付属品情報の読み込み、ないし書き込みを行うことが好適である。
さらに本発明においては、前記付属品認識タグへの付属品情報の書き込みの際に、一定の制限を設けるための書込制限手段を備えることが好適である。
【発明の効果】
【０００８】
本発明にかかる付属品によれば、分析装置本体の中での光路上に対応する、該付属品の中での光路上の近くに、該付属品の種類を識別するための付属品情報を記憶する付属品認識タグを設けることとしたので、分析装置本体に専用の付属品のみならず他の付属品の認識にも対応でき、分析装置の拡張性が向上される。
本発明にかかる分析装置においては、前記付属品の付属品認識タグの位置に対応する、本体の光路上の近くに、付属品認識タグの付属品情報を読み取るための読取手段を設けることとしたので、分析装置の拡張性が向上される。
【０００９】
本発明においては、付属品認識タグを書き込みが行えるタイプとし、管理手段より付属品情報を付属品認識タグに書き込むことにより、他の付属品への対応がより容易に図られるので、前記分析装置の拡張性がより向上される。
本発明においては、前記付属品認識タグへの付属品情報の書き込みの際に一定の制限を設ける書込制限手段を設けることにより、付属品情報の信頼性を保つことができるので、前記分析装置の拡張性の向上がより向上される。
【発明を実施するための最良の形態】
【００１０】
以下、図面に基づき本発明の好適な一実施形態について説明する。
図１には本発明の一実施形態にかかる付属品認識機構を備えた、付属品、及びそれを用いた分析装置の概略構成が示されている。
なお、本実施形態では、付属品認識機構をフーリエ変換赤外分光光度計（ＦＴＩＲ）に用いて、ＦＴＩＲ本体の試料室に、付属品が取り付けられているかどうか、また付属品が取り付けられていたならば、どのような種類の付属品なのかを認識する例について説明する。
【００１１】
同図に示す付属品認識機構１０は、付属品認識タグ１２と、読取手段１４と、コンピュータ（管理手段）１６とを備える。付属品認識機構１０は、ＦＴＩＲ（分析装置）１８の本体２０の試料室２２に対して着脱自在であり、ＦＴＩＲ１８の試料セル（構成部材）２４が設けられた付属品２６の種類の認識に用いられる。
ここで、前記付属品認識タグ１２は、認識（設置）対象となる付属品２６の種類を識別するための情報を記憶する。
本実施形態において特徴的なことは、付属品認識タグ１２が付属品と独立して作成されたことである。また本実施形態においては、付属品２６の中での光路２８上の近く、例えば付属品２６の中での光路２８に対してまっすぐ下方に位置する付属品２６の底面の略中央等に付属品認識タグ１２を設けている。
【００１２】
前記読取手段１４は、付属品の付属品認識タグ１２の位置に対応する、ＦＴＩＲ本体２０の光路３０上の近く、例えばＦＴＩＲ本体２０の中での光路３０に対してまっすぐ下方に設けられ、付属品認識タグ１２の付属品情報を読み取るためのものとする。
前記コンピュータ１６は、ＦＴＩＲ１８のコンピュータ等よりなり、読取手段１４を介して得られる付属品認識タグ１２の付属品情報に基づいて、ＦＴＩＲ本体２０の試料室２２に付属品２６が取り付けられているかどうかを自動認識する。また付属品２６が取り付けられていたならば、どのような種類の付属品なのかを自動認識する。
【００１３】
このように本実施形態においては、付属品認識タグ１２を付属品と独立して作成する。この付属品認識タグ１２を、認識対象となる付属品２６の中での光路２８上の近くに設けるだけで、ＦＴＩＲ本体２０の試料室２２に専用の付属品のみならず他の付属品の認識にも対応できる。また本実施形態においては、ＦＴＩＲ本体２０の試料室２２の光路３０上の近くに付属品認識タグ１２の付属品情報を読み取るための読取手段１４を設けることにより、他の付属品の認識にも対応できる。これにより本実施形態においては、従来方式の付属品認識機構を用いたものに比較しＦＴＩＲの拡張性が向上される。
【００１４】
次に本実施形態にかかる付属品、分析装置１８について、より詳細に説明する。
ＦＴＩＲ本体２０は、さらに光源３２、及び干渉計３４等を含む光出射手段３６と、検出器３８とを備える。ＦＴＩＲ本体２０とコンピュータ１６とは、ＡＤ変換器４０を介して接続されている。コンピュータ１６は、ＦＴＩＲ１８の機器（光出射手段３６、検出器３８等）、及びその周辺機器の動作制御を行う。またコンピュータ１６は、検出器３８よりのデータのフーリエ変換も含む各種データ処理を行い、赤外スペクトルを得ている。
ＦＴＩＲ１８の付属品２６は、ＦＴＩＲ本体２０の試料室２２に着脱自在に設けられ、透過測定用、反射測定用よりなる群より選ばれた試料セルが少なくとも設けられており、本実施形態においては、透過測定用の試料セル２４を設けている。
【００１５】
次に読取手段１４（本体側）の周辺について具体的に説明する。
本実施形態においては、ＦＴＩＲ本体２０の試料室２２に、本体側ベース４２を備え、この本体側ベース４２の上に付属品２６が置かれることとなる。
図２（Ａ）は本体側ベース４２の縦断面図、同図（Ｂ）は同様の本体側ベース４２を上方より見た図である。
【００１６】
同図に示す本体側ベース４２には、ＦＴＩＲ本体の試料室の光路３０上の近くに、読取手段１４を設けるための穴４４が設けられている。穴４４の開口寸法は、試料室に付属品をセットした時の拡張性を図るため、付属品認識タグの外形の大きさよりも大きくしている。このため試料室に付属品をセットした際に、読取手段１４の位置と付属品認識タグの位置とが多少ずれていても、付属品認識タグが、本体側ベース４２の穴４４の中にしっかり入る。
本実施形態においては、どのような形の付属品でもＦＴＩＲ本体の試料室の光路３０上に容易に位置決めできるように、本体側ベース４２にはＦＴＩＲ本体の試料室の光路３０上の近くに位置決めピン４６ａ，４６ｂを設けている。
【００１７】
次に付属品認識タグ１２の周辺について具体的に説明する。
図３（Ａ）は付属品認識タグ１２が設けられた付属品２６の縦断面図、同図（Ｂ）は付属品側ベースを上方より見た図である。
同図に示す付属品認識タグ１２は、メモリ５０と、インタフェース５２とを備え、前記図２に示した本体側ベース４２の穴４４の位置に対応する、付属品２６の中での光路２８上の近く、例えば付属品側ベース４８の下部の略中央等に設けられる。
メモリ５０は、例えばＩＣメモリ等よりなり、付属品認識タグ１２が設けられた付属品２６の種類の情報を記憶する。
インタフェース５２は、例えば電気的接点等よりなり、付属品認識タグ１２のメモリ５０を、読取手段を介してＦＴＩＲ本体と接続するためのものである。
【００１８】
また付属品側ベース４８の下部に、前述のような本体側ベースの位置決めピンに対応する位置に、位置決め穴５４ａ，５４ｂを設けている。
このため本実施形態においては、ＦＴＩＲ本体２０の試料室２２に付属品２６をセットするだけで、付属品がどのような形でも、付属品の認識を行うこと、及び付属品２６を試料室２２の所定の光路３０上に配置することを確実に行うことができる。
【００１９】
図４には本実施形態にかかる付属品を本体側ベースに設置した状態が示されている。なお同図（Ａ）は縦断面図、同図（Ｂ）は付属品側ベース、本体側ベース等を上方より見た図である。
すなわち、同図に示されるように本体側ベース４２の位置決めピン４６ａ，４６ｂに付属品２６の位置決め穴５４ａ，５４ｂを合わせるだけで、付属品２６の持つ所定の光路２８とＦＴＩＲ本体の持つ所定の光路３０とが一致する。このため、どのような形の付属品でも、ＦＴＩＲ本体の所定の光路３０上に確実に位置決めすることができる。
しかも、前述のようにＦＴＩＲ本体の試料室に付属品をセットするだけで、どのような形の付属品でも、付属品認識タグ１２が読取手段１４上に必ず位置する。このため、どのような形の付属品でも付属品の認識が確実に行える。
【００２０】
例えば図５に示されるようにコンピュータ１６は、読取手段１４と付属品認識タグ１２のインタフェース５２とを介して、付属品認識タグ１２のメモリ５０にアクセスし、付属品認識タグ１２のメモリ２０の持つ付属品の型式、シリアルナンバー、測定条件等の付属品情報を得る。コンピュータ１６は、読み取られた付属品情報に基づいて、特に読取手段１４よりの受信信号の有無により、ＦＴＩＲ本体２０に付属品２６が取り付けられているかどうかを自動認識する。さらにコンピュータ１６は、付属品２６が取り付けられていたならば、読取手段１４よりの受信信号の中に含まれる付属品情報の内容により、どのような種類の付属品なのかを自動認識する。
【００２１】
前述のような装置の機能的な拡張性の向上は、本発明のような構成によりはじめて得られるものであり、従来の付属品認識機構を用いたのでは困難であった。
すなわち、従来においても、装置本体の試料室の奥部等、及び付属品の角部等にそれぞれ付属品の認識を行うための電気的接点を設けることが考えられる。しかしながら、従来は専用の付属品の認識しか考えていないので、装置の機能的な拡張性を図るため、専用の付属品以外の付属品を用いると、付属品の認識と装置本体に対する付属品の光学的な位置決めとの両方が確実に行えないことがある。
【００２２】
例えば付属品を認識させるため、装置本体の試料室側の電気的接点に、付属品側の電気的接点を接触させる必要があるが（本体の試料室の一番奥の側壁に付属品の側壁を接触させる等）、装置本体にセットする付属品の形が、専用の付属品の形よりも小さいと、付属品を試料室の一番奥等に配置する必要があり、付属品の持つ所定の光路が装置本体の持つ所定の光路上よりも大きくずれてしまうことがあるので、分析が行えないことがある。
また専用の付属品よりも小さい付属品を装置本体の持つ所定の光路上に配置すると、装置本体の試料室側と付属品側との電気的接点を互いに接触させることができないことがあるので、付属品を自動認識できないことがある。
【００２３】
これに対し、本発明においては、付属品の認識と装置本体に対する付属品の光学的な位置決めとの両方を確実に行うため、以下の点に着目した。
すなわち、付属品は、本体側ベース上に載るものであれば、どのような形のものでもよいが、装置本体の光路３０上には、付属品を必ず位置決めしなければならない。一方、どのような形の付属品でも、装置本体の光路３０上の近くには自身のいずれかが必ず存在するはずである。
【００２４】
このため、本実施形態においては、読取手段１４をＦＴＩＲ本体の試料室の光路３０上の近くに設け、かつ読取手段１４の位置に対応する、付属品２６の中での光路２８上の近くに付属品認識タグ１２を設けることにより、付属品をＦＴＩＲ本体２０の試料室２２にセットした時は、どのような形の付属品でも必ず付属品認識タグ１２が読取手段１４上に位置する。したがって、本実施形態においては、従来極めて困難であった、どのような形の付属品でも、付属品の認識と装置本体の所定の光路上への配置との両方が確実に行えるのである。
【００２５】
メモリ
付属品認識タグ１２のメモリとしては、いろいろなタイプのものが考えられるが、本実施形態においては、拡張性を向上させるため、書き込みも行えるタイプが特に好ましい。
すなわち、通常は付属品情報の読み出しのみが可能なＲＯＭ（付属品認識タグ）を付属品と一緒（一体的）に作成することが考えられるが、付属品情報の新規、変更等の書き込みを行う際は、現地より工場に付属品毎、引き込み、ＲＯＭを交換しなければならないので、面倒である。
これに対し、本実施形態においては、付属品認識タグ１２は付属品２６と独立して作成されたものであり、かつ付属品認識タグ１２を付属品情報の読み込み、ないし書き込みが行えるタイプとしている。
【００２６】
また読取手段１４は、付属品認識タグ１２に対して付属品情報の読み込み、ないし書き
込みが行える。
そして、コンピュータ１６は、付属品認識タグ１２が設けられた付属品２６を、ＦＴＩＲ本体２０にセットした状態で、読取手段１４を介して付属品認識タグ１２に付属品情報を書き込むことが好適である。
【００２７】
このため本実施形態においては、付属品２６をＦＴＩＲ本体２０の試料室にセットするだけで、前記図５に示されるようにコンピュータ１６から、本体２０側の読取手段１４、付属品２６側の付属品認識タグ１２のインタフェース５２を介して、付属品認識タグ１２のメモリ５０にアクセスすることができる。このため付属品２６の認識に必要な情報をコンピュータ１６上で編集し、例えば入力デバイス６０よりコンピュータ本体６２にアクセスし、ディスプレイ６４を見ながら、付属品２６の認識に必要な情報を編集し、編集後はこれを付属品認識タグ１２に転送することができる。したがって、本実施形態においては、現地での付属品情報の書き込みが行えるので、付属品と一緒に作成されたＲＯＭ等を用いたものに比較し、他の付属品への対応がより容易に図られる。
【００２８】
書込制限
また付属品認識タグへの付属品情報の書き込みに一定の制限を設ける書込制限手段を設けることで、付属品情報の信頼性を保つことができる。
すなわち、本実施形態においては、特に書き込みもできるタイプのメモリを用いることにより、他の付属品への対応がより容易に図られるものの、誰でも付属品情報を書き換えられてしまうと、間違った付属品情報の入力等が原因で、付属品情報の信頼性が損なわれることがある。
そこで、本実施形態においては、付属品認識タグ１２に書き込みもできるメモリ５０を用いるときは、付属品情報の信頼性の向上のため、メモリ５０への付属品情報の書き込みに対して、一定の制限を設けるための書込制限手段６６を備えることが好適である。
【００２９】
ここで、前記書込制限手段６６は、前記付属品認識タグ１２への付属品情報の書き込みに、一定の制限を設けるためのものとする。
このように本実施形態においては、メモリ５０への付属品情報の書き込みに一定の制限を設けるための書込制限手段６６を設けることにより、ユーザが不正にメモリ５０の付属品情報を書き換えることができない。このため書込タイプのメモリ５０を用いても付属品認識タグ１２の付属品情報の信頼性を一定に保つことができるので、より前記拡張性の向上が図られる。
【００３０】
なお、書込制限の方法としては、例えばＩＤ、ライトプロテクト等を用いることができる。
前記ＩＤの使い方としては、あらかじめメモリ５０へのアクセスを許可するＩＤをコンピュータ本体６２に設定しておく。そして、メモリ５０にアクセスしようとするユーザに対して、コンピュータ本体６２の書込制限手段６６が、入力デバイス６０よりＩＤの入力を求めることで、ＩＤでアクセスするユーザを識別することができる。そして、コンピュータ本体６２の書込制限手段６６は、特定のＩＤを持つ者のみに対して、メモリ５０へのアクセスを許可することにより、アクセスできるユーザを特定のユーザ等に制限する管理を行う。
前記ライトプロテクトとしては、ハードウェア的な方法（特定の作業者以外知らないタグ上のスイッチ等）や、ソフトウェア的な方法（前述のようなＩＤによりアクセスするユーザを識別し、特定のＩＤを持つ者以外のメモリ５０への書き込みを禁止する）がある。
【００３１】
なお、本発明は前記各構成に限定されるものではなく、発明の要旨の範囲内で種々の変形が可能である。
例えばコンピュータ１６の設定手段６８は、予め付属品毎に最適な分析装置の設定情報をもっており、付属品が認識されると、該認識された付属品での分析に最適な分析装置の設定情報を、予め得ておいた付属品毎に最適な分析装置の設定情報の中から選択することも好適であり、これをＦＴＩＲの本体やその周辺機器に対して設定を行う。また設定手段６８は認識された付属品での分析に推奨の測定条件等をディスプレイ６４に表示することもできる。これにより本実施形態においては、設定操作の簡易化と効率化が図られ、誰でも容易に測定操作を実行することができるので、拡張性を向上しても分析がより容易に行える。
【００３２】
また付属品認識機構をＦＴＩＲ等の分析装置に用いることが特に好ましいが、分析装置以外の装置に適用することも可能であり、装置本体に対して付属品が着脱自在な装置全般に適用可能である。
付属品は前記構成に限定されるものではなく、種々の付属品を用いることができる。例えばＦＴＩＲでは、試料形態として、固体（粉体、塊状、膜状等）、液体、気体等がある。測定法としては、透過法の他に、顕微赤外法、全反射吸収測定法（ＡＴＲ）、高感度反射法、拡散反射法、正反射法、ＫＢｒ錠剤法、超臨界測定法等がある。このため各種の試料形態や、測定法でのサンプル測定を行うための試料セル（試料ホルダ等の容器全般を含む）、ミラー、レンズ等の光学系構成部材、恒温手段等の構成部材を付属品側ベースに設けることができる。また測定法としては、試料室に何も入れない状態でのバックグラウンド測定もあり、付属品側ベースに何も構成部材を設けないものを付属品として用いることもできる。
【００３３】
付属品としては、試料室に対応の構成部材を設けることが特に好ましいが、それ以外の構成部材、例えば光出射手段ないし検出器を付属品とし、装置本体での対応位置に着脱自在に設けることもできる。
前記構成では、付属品情報の読み取りに、付属品認識タグのインタフェースを電気的接点とする接触方式を用いた例について説明したが、非接触方式とすることも、付属品認識機構の読取手段ないし付属品認識タグの設置場所の自由度が向上される点で好ましい。例えば付属品認識タグのインタフェース、読取手段（本体側）を無線信号の送受信アンテナとし、付属品情報を含む信号を無線で送受信することができる。
【図面の簡単な説明】
【００３４】
【図１】本発明の一実施形態にかかる付属品認識機構を用いた付属品、及び分析装置の概略構成の説明図である。
【図２】図１に示した読取手段（分析装置本体側）周辺の説明図である。
【図３】図１に示した付属品認識タグの周辺の説明図である。
【図４】図１において分析装置本体に付属品を設置した状態の説明図である。
【図５】図１に示したコンピュータの周辺の説明図である。
【符号の説明】
【００３５】
１０  付属品認識機構
１２  付属品認識タグ
１４  読取手段
１６  コンピュータ（管理手段）
２２  本体の試料室
２６  付属品
２８  光路（付属品側）
３０  光路（分析装置本体側）
【図１】
2005241551.tif 000003
【図２】
2005241551.tif 000004
【図３】
2005241551.tif 000005
【図４】
2005241551.tif 000006
【図５】
2005241551.tif 000007